(57)【要約】【課題】上りリンク同期外れ状態での復調性能劣化を改善することができる無線通信端末装置を得る。【解決手段】無線通信端末装置は、伝送路推定値からフィードバック情報を生成するフィードバック情報生成部５と、受信信号から無線基地局のアンテナウェイトを推定してアンテナウェイト推定結果を生成するアンテナウェイト推定部７と、フィードバック情報及びアンテナウェイト推定結果から伝送路の上りリンク同期状態が同期外れ状態か同期確立状態かのいずれであるかを判定する上りリンク同期状態判定部８と、フィードバック情報、アンテナウェイト推定結果及び上りリンク同期状態から伝送路推定値の補正量として位相回転量を決定する位相補正量決定部９と、位相回転量に従って伝送路推定値の補正を行う伝送路推定値補正部１０とを有している。【選択図】        図１
2005341277.tif 000002
【特許請求の範囲】
【請求項１】
複数のアンテナを有する無線基地局とともに通信システムを構成し、前記アンテナを介して送信される無線信号を受信し、受信信号に基づくフィードバック情報を前記無線基地局に送信するとともに、前記受信信号から伝送路推定値を推定し、該伝送路推定値を用いて検波する無線通信端末装置において、
（ａ）前記伝送路推定値からフィードバック情報を生成するフィードバック情報生成部と、
（ｂ）前記受信信号から前記無線基地局のアンテナウェイトを推定してアンテナウェイト推定結果を生成するアンテナウェイト推定部と、
（ｃ）前記フィードバック情報及び前記アンテナウェイト推定結果から前記伝送路の上りリンク同期状態が同期外れ状態か同期確立状態かのいずれであるかを判定する上りリンク同期状態判定部と、
（ｄ）前記フィードバック情報、前記アンテナウェイト推定結果及び前記上りリンク同期状態から前記伝送路推定値の補正量として位相回転量を決定する位相補正量決定部と、
（ｅ）前記位相回転量に従って前記伝送路推定値の補正を行う伝送路推定値補正部と
を備えたことを特徴とする無線通信端末装置。
【請求項２】
（ｃ）前記上りリンク同期状態判定部は、
前記上りリンク同期外れ状態の場合に、前記フィードバック情報と前記アンテナウェイト推定結果との一致が所定スロット数以上連続したときに、前記上りリンク同期確立状態とするとともに、
前記上りリンク同期確立状態の場合に、前記フィードバック情報と前記アンテナウェイト推定結果との不一致が所定スロット数連以上続したときに、前記上りリンク同期外れ状態とする
ことを特徴とする請求項１に記載の無線通信端末装置。
【請求項３】
（ｃ）前記上りリンク同期状態判定部は、
前記上りリンク同期外れ状態の場合に、前記フィードバック情報と前記アンテナウェイト推定結果の一致確率が所定確率以上のときに、前記上りリンク同期確立状態とするとともに、
前記上りリンク同期確立状態の場合に、前記フィードバック情報と前記アンテナウェイト推定結果の不一致確率が所定確率以上のときに、前記上りリンク同期外れ状態とする
ことを特徴とする請求項１に記載の無線通信端末装置。
【請求項４】
（ｄ）前記位相補正量決定部は、前記上りリンク同期外れ状態の場合に、前記アンテナウェイト推定結果に基づいて前記補正量を決定するとともに、前記上りリンク同期確立状態の場合に、前記フィードバック情報に基づいて前記補正量を決定する
ことを特徴とする請求項１から３のいずれか１項に記載の無線通信端末装置。
【請求項５】
（ｄ）前記位相補正量決定部は、前記上りリンク同期確立状態の場合において、下りリンクの品質が所定以上のとき、前記アンテナウェイト推定結果に基づいて前記補正量を決定するとともに、下りリンクの品質が所定未満のとき、前記フィードバック情報に基づいて前記補正量を決定する
ことを特徴とする請求項１から３のいずれか１項に記載の無線通信端末装置。
【請求項６】
複数のアンテナを有する無線基地局とともに通信システムを構成し、前記アンテナを介して送信される無線信号を受信し、受信信号に基づくフィードバック情報を前記無線基地局に送信するとともに、前記受信信号から伝送路推定値を推定し、該伝送路推定値を用いて検波する無線通信端末装置の前記伝送路推定値の補正方法であって、
（ａ）前記伝送路推定値からフィードバック情報を生成し、
（ｂ）前記受信信号から前記無線基地局のアンテナウェイトを推定してアンテナウェイト推定結果を生成し、
（ｃ）前記フィードバック情報及び前記アンテナウェイト推定結果から前記伝送路の上りリンク同期状態が同期外れ状態か同期確立状態かのいずれであるかを判定し、
（ｄ）前記フィードバック情報、前記アンテナウェイト推定結果及び前記上りリンク同期状態から前記伝送路推定値の補正量として位相回転量を決定し、
（ｅ）前記位相回転量に従って前記伝送路推定値の補正を行う
ことを特徴とする無線通信端末装置の伝送路推定値の補正方法。
【請求項７】
（ｃ）前記上りリンク同期外れ状態の場合に、前記フィードバック情報と前記アンテナウェイト推定結果との一致が所定スロット数以上連続したときに、前記上りリンク同期確立状態とし、
前記上りリンク同期確立状態の場合に、前記フィードバック情報と前記アンテナウェイト推定結果との不一致が所定スロット数連以上続したときに、前記上りリンク同期外れ状態とする
ことを特徴とする請求項６に記載の無線通信端末装置の伝送路推定値の補正方法。
【請求項８】
（ｃ）前記上りリンク同期外れ状態の場合に、前記フィードバック情報と前記アンテナウェイト推定結果の一致確率が所定確率以上のときに、前記上りリンク同期確立状態とし、
前記上りリンク同期確立状態の場合に、前記フィードバック情報と前記アンテナウェイト推定結果の不一致確率が所定確率以上のときに、前記上りリンク同期外れ状態とする
ことを特徴とする請求項６に記載の無線通信端末装置の伝送路推定値の補正方法。
【請求項９】
（ｄ）前記上りリンク同期外れ状態の場合に、前記アンテナウェイト推定結果に基づいて前記補正量を決定し、
前記上りリンク同期確立状態の場合に、前記フィードバック情報に基づいて前記補正量を決定する
ことを特徴とする請求項６から８のいずれか１項に記載の無線通信端末装置の伝送路推定値の補正方法。
【請求項１０】
（ｄ）前記上りリンク同期確立状態の場合において、下りリンクの品質が所定以上のとき、前記アンテナウェイト推定結果に基づいて前記補正量を決定し、下りリンクの品質が所定未満のとき、前記フィードバック情報に基づいて前記補正量を決定する
ことを特徴とする請求項６から８のいずれか１項に記載の無線通信端末装置の伝送路推定値の補正方法。
【発明の詳細な説明】
【技術分野】
【０００１】
本発明は、基地局が複数のアンテナを介して無線通信端末装置に対して信号を送信し、無線通信端末装置が受信した信号に基づいて基地局の各アンテナから送信される信号の位相を制御する無線通信システムの無線通信端末装置及び無線通信端末装置の伝送路推定値の補正方法に関するものであり、特に、閉ループ送信ダイバーシチモード１が適用されたＷ−ＣＤＭＡ（Wideband−Code Division Multiple Access）方式を採用する無線通信システムの受信性能向上を図る改善に関するものである。
【背景技術】
【０００２】
Ｗ−ＣＤＭＡシステムに閉ループ送信ダイバーシチモード１が適用された場合、無線基地局は２つのアンテナ（アンテナ＃１、＃２）からそれぞれ共通パイロットチャネルＣＰＩＣＨ（Common PIlot CHannel：共通パイロットチャネル、以下ＣＰＩＣＨと呼ぶ）と個別トラフィックチャネルＤＰＣＨ（Dedicated Physical Channel：個別物理チャネル、以下ＤＰＣＨと呼ぶ）を送信する。ＣＰＩＣＨはアンテナ毎に直交した変調パターンで送信される。ＤＰＣＨはデータとパイロットが時間多重で送信されるが、データは各アンテナで同じパターンで、パイロットは各アンテナからそれぞれ直交したパターンで送信される。すなわち、移動局において、ＣＰＩＣＨとＤＰＣＨに含まれるパイロットについては、アンテナ毎に分離することが可能になっている。また、アンテナ＃２から送信されるＤＰＣＨに対して、移動局から送信されるフィードバック情報を基に、π／４、３π／４、−３π／４、−π／４［ｒａｄ］の位相回転を行うためのアンテナウェイトの乗算が行われる。
【０００３】
無線通信端末装置においては、ＣＰＩＣＨから生成した伝送路推定値を用いてＤＰＣＨを復調する際に、無線基地局のアンテナ＃２に用いられているアンテナウェイトを推定し、そのアンテナウェイトを基に伝送路推定値を補正する必要がある。無線通信端末装置が送信したフィードバック情報が誤り無く無線基地局に受信され、想定したとおりのアンテナウェイトが設定されるならば、無線通信端末装置は送信したフィードバック情報から無線基地局のアンテナウェイトを決定し、伝送路推定値の補正に用いればよい。しかし無線基地局におけるフィードバック情報の受信には、誤りが入ることも多いため、必ずしも想定したとおりのアンテナウェイトが設定されるとは限らない。そのため、無線通信端末装置が送信するフィードバック情報で伝送路推定値の補正を行い、且つまたこの値を復調に用いた場合に受信品質に劣化が生じる。そのため、無線通信端末装置では受信信号からアンテナウェイトを推定する必要がある。
【０００４】
これに対して、例えば、特許文献１の実施の形態１（図１）には、受信信号からアンテナウェイトを推定して伝送路推定値の補正に用いる無線通信端末装置が提案されている。この無線通信端末装置は、閉ループ送信ダイバーシチが適用された無線通信システムの無線通信端末であって、復調動作においては、ＣＰＩＣＨを伝送路推定値として使用可能とするために、受信信号から無線基地局のアンテナウェイトを推定して、伝送路推定値を補正する。
【０００５】
そのため、無線基地局におけるフィードバック情報の受信誤りによる、無線通信端末装置の復調性能劣化は軽減される。しかし、受信信号の品質が悪い場合には、必ずしも正しく無線基地局のアンテナウェイトを推定できるとは限らず、誤って推定した場合には復調性能が劣化する。
【０００６】
一方で、基地局でアンテナウェイトが誤って設定された場合に、それを無線通信端末装置側で検出する方法の一例（Simplified Beam Former Verification）が、例えば、非特許文献１にて提案されている。この非特許文献１には、アンテナウェイトの推定に、受信信号と送信したフィードバック情報を使用する方法が記載されている。この方法においては、受信信号の品質が良い場合には受信信号から推定したアンテナウェイトを用い、悪い場合には送信したフィードバック情報を使用することが提案されている。
【０００７】
【特許文献１】特開２００２−３４４３５４号公報（第５，６頁、図１）
【非特許文献１】３ＧＰＰ  ＲＡＮ  ＴＳ２５．２１４  Ｖ３．１２．０  ２００３−３
【発明の開示】
【発明が解決しようとする課題】
【０００８】
しかしながら、上述特許文献１および非特許文献１の無線通信端末装置においては、下りリンクの同期は維持されているが、上りリンクの同期が外れている場合が考慮されてない。上りリンクの同期が外れた場合、送信フィードバック情報が無線基地局に届かなくなり、無線基地局でアンテナに設定されるアンテナウェイトは無線通信端末装置にとって不定となる。その際に、送信したフィードバック情報を用いて復調すると、復調性能が劣化するという未解決の問題点があった。
【０００９】
この発明は上記のような問題点を解決するためになされたもので、上りリンクの同期状態を判定し、判定した同期状態に基づいて伝送路推定値の補正量を決定することで、復調性能を改善することができ、特に上りリンク同期外れ状態での復調性能劣化を改善することができる無線通信端末装置及び無線通信端末装置の伝送路推定値の補正方法を得ることを目的とする。
【課題を解決するための手段】
【００１０】
この発明に係る無線通信端末装置は、複数のアンテナを有する無線基地局とともに通信システムを構成し、アンテナを介して送信される無線信号を受信し、受信信号に基づくフィードバック情報を無線基地局に送信するとともに、受信信号から伝送路推定値を推定し、伝送路推定値を用いて検波（復調）する無線通信端末装置において、伝送路推定値からフィードバック情報を生成するフィードバック情報生成部と、受信信号から無線基地局のアンテナウェイトを推定してアンテナウェイト推定結果を生成するアンテナウェイト推定部と、フィードバック情報及びアンテナウェイト推定結果から伝送路の上りリンク同期状態が同期外れ状態か同期確立状態かのいずれであるかを判定する上りリンク同期状態判定部と、フィードバック情報、アンテナウェイト推定結果及び上りリンク同期状態から伝送路推定値の補正量として位相回転量を決定する位相補正量決定部と、位相回転量に従って伝送路推定値の補正を行う伝送路推定値補正部とを備えている。
【発明の効果】
【００１１】
この発明に係る無線通信端末装置では、上りリンク同期状態判定部によって、伝送路の上りリンク同期状態が同期外れ状態か同期確立状態かのいずれであるかが判定され、その同期状態に基づいて、伝送路推定値の補正量としての位相回転量の決定方法が適切な方法なものに選択される。これにより、補正量として位相回転量が適切なものとされる。その結果、上りリンク同期外れ状態での復調性能劣化を軽減することができる。
【発明を実施するための最良の形態】
【００１２】
以下に、本発明にかかる無線通信端末装置及び無線通信端末装置の伝送路推定値の補正方法の実施の形態を図面に基づいて詳細に説明する。なお、この実施の形態によりこの発明が限定されるものではない。
【００１３】
実施の形態１．
図１はこの発明の実施の形態１の無線通信端末装置の構成を示すブロック図である。図１において、無線通信端末装置は、受信部１と、ＤＰＣＨ逆拡散部２と、ＣＰＩＣＨ逆拡散部３と、伝送路推定部４と、フィードバック情報生成部５と、フィードバック情報記憶部６と、アンテナウェイト推定部７とを有している。また、無線通信端末装置は、さらに、上りリンク同期状態判定部８と、位相補正量決定部９と、伝送路推定値補正部１０と、検波部１１と、混合部１２と、送信部１３とを有している。
【００１４】
受信部１は、図示しない受信アンテナで受信した無線基地局からの無線（ＲＦ）信号を受信信号として入力し、この受信信号をベースバンド信号に変換する。ＤＰＣＨ逆拡散部２は、このベースバンド信号に基づいてＤＰＣＨを逆拡散してＤＰＣＨ逆拡散信号求める。ＣＰＩＣＨ逆拡散部３は、ベースバンド信号からＣＰＩＣＨを逆拡散してＣＰＩＣＨ逆拡散信号を求める。
【００１５】
伝送路推定部４は、ＣＰＩＣＨ逆拡散信号から無線基地局の２つのアンテナ（アンテナ＃１、＃２）のそれぞれに対する伝送路推定値を推定する。フィードバック情報生成部５は、各アンテナの伝送路推定値からフィードバック情報を生成する。フィードバック情報記憶部６は、フィードバック情報をスロット数に応じた時間だけ記憶して、生成したフィードバック情報が受信信号に反映されるまでのタイムラグを吸収する。アンテナウェイト推定部７はアンテナ＃２に対応する伝送路推定値とＤＰＣＨに内挿されるパイロットの逆拡散信号から無線基地局のアンテナウェイトを推定する。上りリンク同期状態判定部８はフィードバック情報とアンテナウェイト推定結果から上りリンクの同期状態を判定してその状態を把握する。
【００１６】
位相補正量決定部９は、フィードバック情報とアンテナウェイト推定結果と上り同期状態から伝送路推定値の補正量（位相回転量）を決定する。伝送路推定値補正部１０は、伝送路推定値をこの補正量にて補正する。検波部１１は、ＤＰＣＨを検波（復調）する。混合部１２は送信データとフィードバック情報とを混合する。送信部１３はベースバンド信号を無線（ＲＦ）信号に変換して無線基地局へ送信する。
【００１７】
次に、動作について説明する。図示しない無線基地局は２つのアンテナ（アンテナ＃１、＃２）からそれぞれ共通パイロットチャネルＣＰＩＣＨと個別トラフィックチャネルＤＰＣＨを送信する。無線通信端末装置の受信部１は、図示しない受信アンテナにより受信信号として受信された無線基地局からの無線（ＲＦ）信号に対して、周波数変換、フィルタリング、Ａ／Ｄ変換等を行って、受信ベースバンド信号を生成する。そして、これをＤＰＣＨ逆拡散部２およびＣＰＩＣＨ逆拡散部３に出力する。
【００１８】
ＤＰＣＨ逆拡散部２は、受信部１からの受信ベースバンド信号を入力して、ＤＰＣＨを拡散している拡散符号を用いて逆拡散し、ＤＰＣＨデータおよびパイロットの逆拡散信号を生成して、これをアンテナウェイト推定部７および検波部１１に出力する。
【００１９】
ＣＰＩＣＨ逆拡散部３は、受信部１からのベースバンド信号に対して、ＣＰＩＣＨを拡散している拡散符号を用いて逆拡散し、ＣＰＩＣＨ逆拡散信号を生成する。そして、これを伝送路推定部４に出力する。
【００２０】
伝送路推定部４は、ＣＰＩＣＨ逆拡散信号を、無線基地局のアンテナ毎にそれぞれ直交する変調パターンを用いて、無線基地局のアンテナ毎の伝送路推定値ＣＰＩＣＨ＃１（アンテナ＃１に対応）とＣＰＩＣＨ＃２（アンテナ＃２に対応）を生成する。そしてこれらをフィードバック情報生成部５、アンテナウェイト推定部７および伝送路推定値補正部１０に出力する。
【００２１】
フィードバック情報生成部５は、アンテナ毎の伝送路推定値ＣＰＩＣＨ＃１とＣＰＩＣＨ＃２から、ＤＰＣＨデータの受信品質が最も良くなるような無線基地局のアンテナウェイトを推定し、その推定結果からフィードバック情報を生成して出力する。ＤＰＣＨの受信品質を最も良くするためには、信号受信時にアンテナ毎のＤＰＣＨの位相差が“０”になるように、無線基地局のアンテナ＃２のアンテナウェイトを設定すればよい。すなわち、アンテナ毎の伝送路推定値間の位相差を求め、その差を“０”とする値をアンテナ＃２のウェイトとし、これに基づきフィードバック情報を生成すればよい。
【００２２】
具体的には、まずアンテナ＃２の伝送路推定値ＣＰＩＣＨ＃２に対するＣＰＩＣＨ＃１の位相差θ（０≦θ＜２πとする）を求める。次に、フィードバック情報で送信できるアンテナウェイトは、π／４、３π／４、−３π／４、−π／４［ｒａｄ］の４種類となるため、図２に示すテーブルに従って位相差θを量子化した位相差θｑを求める。そして、位相差θｑおよびフィードバック情報を送信する送信スロット番号（奇数スロットか偶数スロットか）に基づき、図３のテーブルに従ってフィードバック情報を決定する。そしてこれをフィードバック情報記憶部６および混合部１２に出力する。
【００２３】
フィードバック情報記憶部６は、送信したフィードバック情報が無線基地局においてアンテナウェイトとして設定されるタイムラグを吸収するために設けており、所定スロット数に対応する時間遅延させた後、当該受信スロットのアンテナウェイトに対応するフィードバック情報を、上りリンク同期状態判定部８および位相補正量決定部９に出力する。
【００２４】
アンテナウェイト推定部７は、無線基地局のアンテナ＃２より送信されたパイロット２をＤＰＣＨ逆拡散結果から抽出し、パイロット２とＣＰＩＣＨ＃２の位相差を検出し、無線基地局に設定されたアンテナウェイト、すなわち無線基地局が受信したフィードバック情報を推定し、上りリンク同期状態判定部８および位相補正量決定部９に出力する。
【００２５】
具体的には、まずアンテナの伝送路推定値ＣＰＩＣＨ＃２に対するパイロット２の位相差θ（０≦θ＜２πとする）を求める。次に、図２に従って位相差θを量子化した量子化位相差θｑを求める。そしてさらに、量子化位相差θｑおよび当該受信スロットのパイロット２の位相回転を行ったフィードバック情報を送信した送信スロット番号から、図３に従ってフィードバック情報を決定し、アンテナウェイト推定結果として上りリンク同期状態判定部８と位相補正量決定部９に出力する。
【００２６】
上りリンク同期状態判定部８では、フィードバック情報とアンテナウェイト推定結果から、上りリンクの同期状態の判定を行う。上りリンク同期状態としては、同期外れ状態と同期確立状態の２つの状態を有し、同期外れ状態中は同期確立判定を行い、同期確立状態中は同期外れ判定を行う。
【００２７】
上りリンク同期状態判定部８が行う同期確立判定手順を図４を用いて説明する。まず、ステップＳ１１において、フィードバック情報とアンテナウェイト推定結果とが比較され、一致している場合はステップＳ１２に、不一致の場合はステップＳ１５に進む。ステップＳ１２では一致カウンタをカウントアップし、ステップＳ１３に進む。ステップＳ１３では、一致カウンタ値と同期確立判定閾値ｎ１と比較を行い、一致カウンタ値が同期確立判定閾値ｎ１以上であればステップＳ１４に、一致カウンタ値が同期確立判定閾値ｎ１未満であれば処理を終了する。ステップＳ１４では「状態」を同期確立状態に遷移し、処理を終了する。ステップＳ１５では、一致カウンタを初期化（＝０）として処理を終了する。
【００２８】
次に、上りリンク同期状態判定部８が行う同期外れ判定手順を図５を用いて説明する。図５において、ステップＳ２１では、フィードバック情報とアンテナウェイト推定結果とが比較され、不一致の場合はステップＳ２２に、一致の場合はステップＳ２５に進む。ステップＳ２２では不一致カウンタをカウントアップ（＋１）し、ステップＳ２３に進む。ステップＳ２３では、不一致カウンタと同期外れ判定閾値ｎ２を比較し、不一致カウンタ値が同期外れ判定閾値ｎ２以上であればステップＳ２４に、不一致カウンタ値が同期外れ判定閾値ｎ２未満であれば処理を終了する。ステップＳ２４では同期状態を同期外れ状態に遷移して、処理を終了する。ステップＳ２５では不一致カウンタを初期化（＝０）として処理を終了する。
【００２９】
位相補正量決定部９では、上りリンク同期状態およびフィードバック情報またはアンテナウェイト推定結果から、伝送路推定値の補正量を決定する。上りリンク同期状態が同期外れ状態ならば、アンテナウェイト推定結果を使用し、補正量を決定する。上りリンク同期状態が同期確立状態ならば、フィードバック情報を使用し、補正量を決定する。具体的には、２スロット分のアンテナウェイト推定結果またはフィードバック情報と、それぞれに対応するフィードバック情報を送信した送信スロット番号から、図６に従って補正量を決定する。なお、２スロット分のアンテナウェイト推定結果またはフィードバック情報は、それぞれを送信したスロット番号が、偶数と奇数の組み合わせとなる最新のものを使用する。
【００３０】
伝送路推定値補正部１０は、位相補正量に従ってＣＰＩＣＨ＃２に対して位相回転を行った後、ＣＰＩＣＨ＃１と加算して伝送路推定値として検波部１１に出力する。検波部１１は補正された伝送路推定値を用いてＤＰＣＨデータを検波して受信データを出力する。
【００３１】
以上で明らかなように、本実施の形態の無線通信端末装置は、複数のアンテナを有する無線基地局とともに通信システムを構成し、アンテナを介して送信される無線信号を受信し、受信信号に基づくフィードバック情報を無線基地局に送信するとともに、受信信号から伝送路推定値を推定し、伝送路推定値を用いて検波を行う無線通信端末装置である。
【００３２】
そして、受信信号に基づき無線基地局からの伝送路の状態を推定して伝送路推定値を生成する伝送路推定部４、伝送路推定値からフィードバック情報を生成するフィードバック情報生成部５、受信信号から無線基地局のアンテナウェイトを推定してアンテナウェイト推定結果を生成するアンテナウェイト推定部７、及び、フィードバック情報とアンテナウェイト推定結果から伝送路の上りリンク同期状態が同期外れ状態か同期確立状態かのいずれであるかを判定する上りリンク同期状態判定部８を有している。
【００３３】
そしてさらに、フィードバック情報とアンテナウェイト推定結果と上りリンク同期状態から伝送路推定値の補正量として位相回転量を決定する位相補正量決定部９、位相回転量に従って伝送路推定値の補正を行う伝送路推定値補正部１０、及び、補正された伝送路推定値を用いてトラフィックチャネルを検波（復調）する検波部１１とを有している。
【００３４】
そのため、上りリンク同期状態判定部８によって、伝送路の上りリンク同期状態が同期外れ状態か同期確立状態かのいずれであるかが判定され、その同期状態に基づいて、伝送路推定値の補正量としての位相回転量の決定方法が適切な方法なものに選択される。これにより、たとえ下りリンクの同期は維持されていて、上りリンクの同期が外れている場合であっても、補正量として位相回転量が適切なものとされる。その結果、上りリンク同期外れ状態での復調性能劣化を軽減することができる。
【００３５】
また、本実施の形態の無線通信端末装置は、上りリンク同期状態判定部８は、上りリンク同期外れ状態の場合に、フィードバック情報とアンテナウェイト推定結果との一致が所定スロット数以上連続したときに、上りリンク同期確立状態とするとともに、上りリンク同期確立状態の場合に、フィードバック情報とアンテナウェイト推定結果との不一致が所定スロット数連以上続したときに、上りリンク同期外れ状態とする。そのため、上りリンク同期確立状態と上りリンク同期外れ状態を安定に且つ確実に判定することができ、装置の動作が安定し信頼性が向上する。
【００３６】
実施の形態２．
上述の実施の形態１では、上りリンク同期状態判定部８において、上りリンク同期状態を判定するために、フィードバック情報とアンテナウェイト推定結果の連続一致スロット数または連続不一致スロット数を用いたが、所定の期間における一致スロットの確率を用いて判定を行っても良い。以下にその判定手順を具体的に説明する。
【００３７】
本実施の形態の上りリンク同期状態判定部８の行う同期外れ状態時の同期確立判定手順について、図７を用いて説明する。図７において、まず、ステップＳ３１において、一致カウンタを初期化（＝０）とする。次のステップＳ３２では、フィードバック情報とアンテナウェイト推定結果の比較を行い、一致か不一致かの判定を行う。ステップＳ３３ではその比較結果を内部の保存領域に保存する。ステップＳ３４では保存領域に保存されている最新ｓｎ１スロット中の一致数をカウントする。ステップＳ３５では、カウント数が同期確立判定数ｐ１よりも大きいかを判定する。大きい場合には、ステップＳ３６に移行し、上りリンク同期状態を同期確率状態に遷移する。小さい場合は、処理を終了する。
【００３８】
本実施の形態の上りリンク同期状態判定部８の行う同期確立状態時の同期外れ判定手順について、図８を用いて説明する。図８において、まず、ステップＳ４１において、不一致カウンタを初期化（＝０）とする。次のステップＳ４２では、フィードバック情報とアンテナウェイト推定結果の比較を行い、一致か不一致かの判定を行う。ステップＳ４３ではその比較結果を内部の保存領域に保存する。ステップＳ４４では保存領域に保存されている最新ｓｎ２スロット中の不一致数をカウントする。ステップＳ４５では、カウント数が同期確立判定数ｐ２よりも大きいかを判定する。大きい場合には、ステップＳ４６に移行し、上りリンク同期状態を同期外れ状態に遷移する。小さい場合は、処理を終了する。
【００３９】
以上で明らかなように、本実施の形態の無線通信端末装置は、上りリンク同期状態判定部８は、上りリンク同期外れ状態の場合に、フィードバック情報とアンテナウェイト推定結果の一致確率が所定確率以上のときに、上りリンク同期確立状態とするとともに、上りリンク同期確立状態の場合に、フィードバック情報とアンテナウェイト推定結果の不一致確率が所定確率以上のときに、上りリンク同期外れ状態とする。そのため、上りリンク同期状態判定部８によって上りリンクの同期状態が判定され、その同期状態に従って、位相回転量の決定方法を最適化することができ、上りリンク同期外れ状態での復調性能劣化を軽減することができるとともに、上りリンク同期確立状態と上りリンク同期外れ状態をさらに安定して確実に判定することができ、装置の動作が安定し信頼性が向上する。
【００４０】
実施の形態３．
上述の実施の形態１および２では、位相補正量決定部９において、位相回転量を決定するために、上りリンク状態だけで判定を行っていたが、下りリンクの品質を判定条件に加えても良い。図９はこの発明の実施の形態３の無線通信端末装置の構成を示すブロック図である。本実施の形態の無線通信端末装置においては、実施の形態１（図１）の無線通信端末装置の構成に対して、ＤＰＣＨ逆拡散部２と位相補正量決定部９との間に、ＤＰＣＨの受信品質を測定する受信品質測定部１４が追加されている。そして、この受信品質測定部１４の出力である信号電力対干渉電力比（ＳＩＲ:Signal to Inter- ference Rate、以下ＳＩＲと呼ぶ）が位相補正量決定部９に入力されている。その他の構成は実施の形態１のものと同じであり、同じ部分についての詳細な説明は省略する。
【００４１】
受信品質測定部１４は、ＤＰＣＨ逆拡散部３から出力されるＤＰＣＨ逆拡散信号からＤＰＣＨの信号電力と干渉電力を計算し、ＳＩＲを出力する。位相補正量決定部９は、上りリンク同期状態判定部８から入力された上りリンク同期状態が同期確立状態の場合に、ＳＩＲを信号品質判定閾値ｑと比較し、ＳＩＲがｑ以上だった場合、アンテナウェイト推定結果を使用し、補正量を決定する。ＳＩＲがｑ未満だった場合、フィードバック情報を使用し、補正量を決定する。アンテナウェイト推定結果またはフィードバック情報から具体的な補正量決定方法は、実施の形態１で説明した通りである。
【００４２】
以上で明らかなように、本実施の形態の無線通信端末装置の位相補正量決定部９は、上りリンク同期確立状態の場合において、下りリンクの品質が所定以上のとき、アンテナウェイト推定結果に基づいて補正量を決定するとともに、下りリンクの品質が所定未満のとき、フィードバック情報に基づいて補正量を決定する。その結果、上りリンク同期状態が同期確立状態だった場合に、下りリンクの品質を伝送路推定値補正量決定に加味することにより、位相回転量の決定方法を最適化することができ、復調性能を改善することができる。
【産業上の利用可能性】
【００４３】
以上のように、本発明にかかる無線通信端末装置は、基地局が複数のアンテナを介して無線通信端末装置に対して信号を送信し、無線通信端末装置が受信した信号に基づいて基地局の各アンテナから送信される信号の位相を制御する無線通信システムに関するものに有用であり、特に、クローズドループ送信ダイバーシチが適用されたＷ−ＣＤＭＡ方式を採用する無線通信システムの無線通信端末装置に適している。
【図面の簡単な説明】
【００４４】
【図１】この発明の実施の形態１の無線通信端末装置の構成を示すブロック図である。
【図２】位相差θの範囲と位相差θを量子化した量子化位相差θｑとの関係を示すテーブルの図である。
【図３】量子化位相差θｑに対するフィードバック情報が送信スロット番号の奇数・偶数によって異なる様子を示すテーブルの図である。
【図４】実施の形態１の上りリンク同期状態判定部が行う同期確立判定手順を示すフローチャートである。
【図５】実施の形態１の上りリンク同期状態判定部が行う同期外れ判定手順を示すフローチャートである。
【図６】送信スロット番号の奇数・偶数によって異なるフィードバック情報と伝送路推定値の補正量との関係を示すテーブルの図である。
【図７】実施の形態２の上りリンク同期状態判定部の行う同期外れ状態時の同期確立判定手順を示すフローチャートである。
【図８】実施の形態２の上りリンク同期状態判定部の行う同期確立状態時の同期外れ判定手順を示すフローチャートである。
【図９】この発明の実施の形態３の無線通信端末装置の構成を示すブロック図である。
【符号の説明】
【００４５】
１  受信部
２  ＤＰＣＨ逆拡散部
３  ＣＰＩＣＨ逆拡散部
４  伝送路推定部
５  フィードバック情報生成部
６  フィードバック情報記憶部
７  アンテナウェイト推定部
８  リンク同期状態判定部
９  位相補正量決定部
１０  伝送路推定値補正部
１１  検波部
１２  混合部
１３  送信部
１４  受信品質測定部
【図１】
2005341277.tif 000003
【図２】
2005341277.tif 000004
【図３】
2005341277.tif 000005
【図４】
2005341277.tif 000006
【図５】
2005341277.tif 000007
【図６】
2005341277.tif 000008
【図７】
2005341277.tif 000009
【図８】
2005341277.tif 000010
【図９】
2005341277.tif 000011